(57)【要約】【課題】簡単な回路で色調整を含む映像調整の自由度を向上させる。【解決手段】  入力コンポーネント映像信号から輝度、色相及び彩度のうち少なくとも色相及び彩度のレベルを検出するレベル検出手段１１と、映像信号の輝度、色相及び彩度のうち少なくとも色相及び彩度のレベルに応じて設定された映像調整後の値と前記入力コンポーネント映像信号の各成分との差に基づく補正量を記憶する記憶手段から、前記レベル検出手段の検出結果に基づく補正量を読出して出力するオフセット出力手段１２〜１４と、前記オフセット出力手段からの補正量と前記入力コンポーネント映像信号の各成分とを夫々加算して出力する加算手段１５〜１７とを具備する。【選択図】図１
2008118392.tif 000002
【特許請求の範囲】
【請求項１】
入力コンポーネント映像信号から輝度、色相及び彩度のうち少なくとも色相及び彩度のレベルを検出するレベル検出手段と、
映像信号の輝度、色相及び彩度のうち少なくとも色相及び彩度のレベルに応じて設定された映像調整後の値と前記入力コンポーネント映像信号の各成分との差に基づく補正量を記憶する記憶手段から、前記レベル検出手段の検出結果に基づく補正量を読出して出力するオフセット出力手段と、
前記オフセット出力手段からの補正量と前記入力コンポーネント映像信号の各成分とを夫々加算して出力する加算手段と
を具備したことを特徴とする映像調整装置。
【請求項２】
前記映像調整後の値を得るためのユーザ操作に基づく指示値が与えられ、ソフトウェア処理によって前記補正量を算出して前記記憶手段に記憶させるオフセットデータ生成手段を具備したことを特徴とする請求項１に記載の映像調整装置。
【請求項３】
前記記憶手段は、映像信号の色相及び彩度の段階的なレベル毎に前記補正量を記憶し、
前記レベル検出手段の検出結果に基づいて、前記オフセット出力手段からの補正量を線形補間して前記加算手段に与える線形補間手段を具備したことを特徴とする請求項１に記載の映像調整装置。
【請求項４】
前記レベル検出手段の彩度についての検出結果に基づく係数と、前記オフセット出力手段からの補正量とを乗算する乗算手段を具備したことを特徴とする請求項１に記載の映像調整装置。
【請求項５】
前記レベル検出手段は、前記入力コンポーネント映像信号から輝度、色相及び彩度のレベルを検出し、
前記オフセット出力手段は、映像信号の輝度、色相及び彩度のレベルに応じて設定された映像調整後の値と前記入力コンポーネント映像信号の各成分との差に基づく補正量を記憶する記憶手段から、前記レベル検出手段の検出結果に基づく補正量を読出して出力することを特徴とする請求項１に記載の映像調整装置。
【発明の詳細な説明】
【技術分野】
【０００１】
本発明は、コンポーネント映像信号に対して色調整等の映像調整を行う映像調整装置に関する。
【背景技術】
【０００２】
近年、画像システムにおいては、カラーマネージメントの標準化が進められている。テレビジョンディスプレイ装置においても、大画面化、高精細化、高コントラスト化と共に、色再現性に優れた表示が求められている。このため、ディスプレイ装置の色再現範囲を拡大するための研究も行われている。更に、従来、人間の嗜好を考慮した色再現を行うために、画像の色を人間の特性に合わせて変化させる映像調整装置も採用されている。
【０００３】
人間は、実際に見た色をそのまま記憶するのではなく、カテゴリ（空の色や、肌色等）毎に分けて、好ましいと感じる色（記憶色）で記憶する。文化圏の差、人種差又は個人差等による違いはあるものの、一般的には、記憶色は実際の色よりも鮮やかな色として記憶される。
【０００４】
従って、ディスプレイ装置において実際の色をそのまま忠実に表示しただけでは、ユーザは色の再現性に劣ると感じてしまう。そこで、記憶色を考慮しつつ表示色を調整する映像調整装置が採用されるのである。
【０００５】
例えば、輝度、色相及び彩度の変化幅を所定のビット数で指定することにより、指示された値に応じた変化を与える映像調整装置が採用されることがある。このような映像調整装置においては、変化幅に応じたデジタル値を保持するメモリと、メモリの出力から所定の係数を算出する係数算出回路と、得られた係数と入力信号との演算を行う乗算器及び加算器が必要である。
【０００６】
しかし、このような装置は高精度に映像調整が可能である反面、回路規模が大きいという欠点がある。
【０００７】
また、特許文献１の装置においても映像調整装置が開示されている。特許文献１の装置は、Ｒ−Ｙ色差信号にオフセットを加算することで、赤色系の色合いを撮像時の色に近い色に補正し、肌色等を自然な色で再現するようにしたものである。
【０００８】
しかしながら、特許文献１の装置は１軸の色差信号の補正のみを可能とするもので、色調整の自由度が小さいという問題点があった。
【特許文献１】特開２００５−５７８６号公報
【発明の開示】
【発明が解決しようとする課題】
【０００９】
本発明は、小さい回路規模で自由度の高い色調整を含む映像調整を行うことができる映像調整装置を提供することを目的とする。
【課題を解決するための手段】
【００１０】
本発明の一態様の映像調整装置は、入力コンポーネント映像信号から輝度、色相及び彩度のうち少なくとも色相及び彩度のレベルを検出するレベル検出手段と、映像信号の輝度、色相及び彩度のうち少なくとも色相及び彩度のレベルに応じて設定された映像調整後の値と前記入力コンポーネント映像信号の各成分との差に基づく補正量を記憶する記憶手段から、前記レベル検出手段の検出結果に基づく補正量を読出して出力するオフセット出力手段と、前記オフセット出力手段からの補正量と前記入力コンポーネント映像信号の各成分とを夫々加算して出力する加算手段とを具備したものである。
【発明の効果】
【００１１】
本発明によれば、小さい回路規模で自由度の高い色調整を含む映像調整を行うことができるという効果を有する。
【発明を実施するための最良の形態】
【００１２】
以下、図面を参照して本発明の実施の形態について詳細に説明する。
【００１３】
（第１の実施の形態）
図１は本発明の第１の実施の形態に係る映像調整装置を示すブロック図である。
【００１４】
本実施の形態は入力されたコンポーネント映像信号を、その輝度、色相及び彩度毎に、設定された色（目標色）に調整するためのものである。例えば、工場出荷段階における映像調整回路として用いることができ、また、一般ユーザーが好みに応じて色調整等の映像調整を行う場合に用いることができる。
【００１５】
本実施の形態では、入力された映像信号の色を目標色にするために色空間内での処理を行うが、色空間の種類は特に限定されるものではない。例えば、ＲＧＢ、ＲＧＢＡ、ＹＣｂＣｒ、ＣＭＹＫ、Ｌ*ａ*ｂ*等の各種色空間での処理を採用することができる。
【００１６】
一般的なテレビジョン装置内では、コンポーネント映像信号及びコンポジット映像信号等は、輝度信号と色差信号とに分けて処理される。そこで、本実施の形態では、映像信号から分離された輝度信号Ｙ及び色差信号Ｃｂ，Ｃｒに対して処理を行う例を説明する。本実施の形態では色差信号Ｃｂ軸及びＣｒ軸の色差平面の処理によって色調整を行う例を説明するが、他の表色系を用いる場合でも、同様に構成可能である。
【００１７】
入力端子Ｉｙ，Ｉｃｂ，Ｉｃｒには、夫々入力輝度信号Ｙ及び入力色差信号Ｃｂ，Ｃｒが入力される。これらの輝度信号Ｙ及び色差信号Ｃｂ，Ｃｒは、夫々加算器１５乃至１７に与えられる。また、輝度信号Ｙ及び色差信号Ｃｂ，Ｃｒは、レベル検出回路１１にも与えられる。
【００１８】
レベル検出回路１１は、入力された輝度信号及び色差信号Ｃｂ，Ｃｒから、入力映像信号の輝度、色相及び彩度のレベルを検出する。レベル検出回路１１が検出した輝度、色相及び彩度は、Ｙオフセットメモリ１２、Ｃｂオフセットメモリ１３及びＣｒオフセットメモリ１４に与えられる。
【００１９】
Ｙオフセットメモリ１２は、入力映像信号の輝度、色相及び彩度のレベルに応じて、表示に用いる出力輝度信号Ｙをどれだけ変化させるかを示すＹ補正量を保持する。また、Ｃｂオフセットメモリ１３は、入力映像信号の輝度、色相及び彩度のレベルに応じて、表示に用いる色差信号Ｃｂをどれだけ変化させるかを示すＣｂ補正量を保持する。また、Ｃｒオフセットメモリ１４は、入力映像信号の輝度、色相及び彩度のレベルに応じて、表示に用いる色差信号Ｃｒをどれだけ変化させるかを示すＣｒ補正量を保持する。
【００２０】
Ｙ補正量は、出力輝度信号Ｙと入力輝度信号Ｙとの差信号であり、Ｙオフセットメモリ１２は、入力映像信号の輝度、色相及び彩度のレベル毎に、輝度をどれだけ変化させるかの変化分を記憶することになる。
【００２１】
また、Ｃｂ補正量は、出力色差信号Ｃｂと入力色差信号Ｃｂとの差信号であり、Ｃｂオフセットメモリ１３は、入力映像信号の輝度、色相及び彩度のレベル毎に、色差信号Ｃｂをどれだけ変化させるかの変化分を記憶することになる。
【００２２】
また、Ｃｒ補正量は、出力色差信号Ｃｒと入力色差信号Ｃｒとの差信号であり、Ｃｒオフセットメモリ１４は、入力映像信号の輝度、色相及び彩度のレベル毎に、色差信号Ｃｒをどれだけ変化させるかの変化分を記憶することになる。
【００２３】
オフセット出力手段としてのＹオフセットメモリ１２、Ｃｂオフセットメモリ１３及びＣｒオフセットメモリ１４からのＹ補正量、Ｃｂ補正量及びＣｒ補正量は、夫々加算器１５乃至１７に与えられる。加算器１５は、入力端子Ｉｙを介して入力された入力輝度信号ＹにＹ補正量を加算して、出力端子Ｏｙに出力輝度信号Ｙを出力する。加算器１６は、入力端子Ｉｃｂを介して入力された入力色差信号ＣｂにＣｂ補正量を加算して、出力端子Ｏｃｂに出力色差信号Ｃｂを出力する。加算器１７は、入力端子Ｉｃｒを介して入力された入力色差信号ＣｒにＣｒ補正量を加算して、出力端子Ｏｃｒに出力色差信号Ｃｒを出力する。
【００２４】
次に、このように構成された実施の形態の動作について図２の説明図を参照して説明する。図２（ａ）は縦軸に輝度レベルをとり、輝度の補正を説明するための輝度図であり、図２（ｂ）は横軸にＣｂ軸をとり縦軸にＣｒ軸をとって、色差平面における色調整を説明するための色度図である。図２（ｂ）においては、色度図中の第１象限のみを示している。図２（ａ），（ｂ）において、Ｙ１点は入力映像信号の輝度信号Ｙ１を示し、Ｃ１点は入力色差信号Ｃｂ１，Ｃｒ１を示している。なお、点Ｙ１，Ｃｂ１，Ｃｒ１のレベルは夫々Ｙ１，Ｃｂ１，Ｃｒ１である。また、図２（ａ），（ｂ）において、Ｙ２点は出力映像信号の輝度信号Ｙ２を示し、Ｃ２点は出力色差信号Ｃｂ２，Ｃｒ２を示している。なお、点Ｙ２，Ｃｂ２，Ｃｒ２のレベルは、夫々Ｙ２，Ｃｂ２，Ｃｒ２である。
【００２５】
Ｙオフセットメモリ１２には、入力輝度信号Ｙ、入力色差信号Ｃｂ，Ｃｒのレベル値（Ｙ，Ｃｂ，Ｃｒ）毎に、Ｙ補正量が記憶されている。例えば、（Ｙ１，Ｃｒ１，Ｃｂ１）レベルに対応して、（Ｙ２−Ｙ１）の値が格納されている。同様に、Ｃｂオフセットメモリ１３には、入力輝度信号Ｙ、入力色差信号Ｃｂ，Ｃｒのレベル値（Ｙ，Ｃｂ，Ｃｒ）毎に、Ｃｂ補正量が記憶されている。例えば、（Ｙ１，Ｃｒ１，Ｃｂ１）レベルに対応して、（Ｃｂ２−Ｃｂ１）の値が格納されている。また、Ｃｒオフセットメモリ１４には、入力輝度信号Ｙ、入力色差信号Ｃｂ，Ｃｒのレベル値（Ｙ，Ｃｂ，Ｃｒ）毎に、Ｃｒ補正量が記憶されている。例えば、（Ｙ１，Ｃｒ１，Ｃｂ１）レベルに対応して、（Ｃｒ２−Ｃｒ１）の値が格納されている。
【００２６】
従って、入力輝度信号Ｙ、入力色差信号Ｃｂ，Ｃｒの検出レベルが夫々Ｙ１，Ｃｒ１，Ｃｂ１である場合には、Ｙオフセットメモリ１２からは（Ｙ２−Ｙ１）が出力され、Ｃｂオフセットメモリ１３からは（Ｃｂ２−Ｃｂ１）が出力され、Ｃｒオフセットメモリ１４からは（Ｃｒ２−Ｃｒ１）が出力される。
【００２７】
オフセットメモリ１２〜１４からの補正量は、夫々加算器１５乃至１７に与えられる。加算器１５は入力輝度信号（Ｙ１）にＹ補正量（Ｙ２−Ｙ１）を加算して、補正後の出力輝度信号（Ｙ２）を得る。同様に、加算器１６は入力色差信号（Ｃｂ１）にＣｂ１補正量（Ｃｂ２−Ｃｂ１）を加算して、補正後の出力色差信号（Ｃｂ２）を得る。また、加算器１７は入力色差信号（Ｃｒ１）にＣｒ１補正量（Ｃｒ２−Ｃｒ１）を加算して、補正後の出力色差信号（Ｃｒ２）を得る。
【００２８】
こうして、図２（ａ）に示す輝度信号Ｙ２及び図２（ｂ）に示す色信号Ｃ２が得られる。
【００２９】
このように、本実施の形態においては、入力映像信号に対して、各入力の輝度及び色度に応じて、輝度及び各色差信号毎に補正量が予め設定されたオフセットメモリを備える。オフセットメモリの補正量は、出力信号と入力信号との差分値であり、加算器において入力された輝度及び各色差信号と、輝度及び各色差信号毎の補正量とを加算することで、映像調整後の輝度及び各色差信号を得ることができる。各軸のオフセットメモリと加算器のみによって補正が可能であり、簡単な構成によって、自由度が高い色調整を含む映像調整を行うことができる。
【００３０】
（第２の実施の形態）
図３は本発明の第２の実施の形態に係る映像調整装置を示すブロック図である。図３において図１と同一の構成要素には同一符号を付して説明を省略する。
【００３１】
従来、輝度、色相及び彩度の変化幅に応じたデジタル値を保持するメモリと、メモリの出力から所定の係数を算出する係数算出回路と、得られた係数と入力信号との演算を行う乗算器及び加算器とを用いて色調整を行う回路が採用されることがある。このような装置においては、ユーザによる輝度、色相及び彩度の調整値をソフトウェア処理によってメモリに格納するデジタル値を生成する手法が一般的である。
【００３２】
本実施の形態は、このような調整値を表すデジタル値を保持するメモリを備えた装置に適用した例である。図３においてメモリ群２１はこのようなユーザの指示に対するソフトウェア処理によって求められた調整値を保持するものである。図３の調整値算出回路２３はこのような調整値を求める処理を行うものであり、ユーザ指示値に対して、各輝度及び色度毎の調整値を出力するようになっている。
【００３３】
こうして、色相メモリ２１ｔはユーザ指示値に応じた色相調整のための調整値を保持する。彩度メモリ２１ｃはユーザ指示値に応じた彩度調整のための調整値を保持する。コントラストメモリ２１ｃｏはユーザ指示値に応じたコントラスト調整のための調整値を保持する。ブライトメモリ２１ｂはユーザ指示値に応じたブライト調整のための調整値を保持する。
【００３４】
メモリ群２１の各メモリ２１ｔ，２１ｃ，２１ｃｎ，２１ｂからの調整値はオフセットデータ生成回路２２に与えられる。オフセットデータ生成回路２２は、コントラストメモリ２１ｃ及びブライトメモリ２１ｂからの調整値に基づいて、Ｙオフセットメモリ１２に格納するＹ補正量を算出する。また、オフセットデータ生成回路２２は、色相メモリ２１ｔ及び彩度メモリ２１ｃからの調整値に基づいて、Ｃｂオフセットメモリ１３に格納するＣｂ補正量及びＣｒオフセットメモリ１４に格納するＣｒ補正量を算出する。
【００３５】
オフセットデータ生成回路２２は、算出したＹ補正量、Ｃｂ補正量及びＣｒ補正量を夫々Ｙオフセットメモリ１２、Ｃｂオフセットメモリ１３及びＣｒオフセットメモリ１４に与えて記憶させる。なお、オフセットデータ生成回路２２は、例えばＣＰＵ及びメモリ等によって構成して、ソフトウェア処理によって補正量の算出をすることができる。
【００３６】
次に、このように構成された実施の形態の動作について図４を参照して説明する。図４は全体の制御を説明するためのフローチャートである。
【００３７】
入力端子Ｉｙ，Ｉｃｂ，Ｉｃｒへの映像信号の入力に先立って、Ｙオフセットメモリ１２、Ｃｂオフセットメモリ１３及びＣｒオフセットメモリ１４への補正量の格納が行われる。図４のステップＳ１において、調整値算出回路２３は入力映像信号としてとり得る値を輝度、色相、彩度についてレベル毎にｉ分割する。例えば、調整値算出回路２３は、輝度をレベルに応じてｘ分割し、色相をレベルに応じてｙ分割し、彩度をレベルに応じてｚ分割する。従って、この場合には、ｉ＝ｘ×ｙ×ｚである。
【００３８】
調整値算出回路２３には、ユーザの指示値が入力される。この指示値は、輝度、色相、彩度について、ユーザが分割レベル毎に設定した調整量を示している。調整値算出回路２３は、入力された指示値に基づいて、色相、彩度、コントラスト及びブライトネスについて、各分割レベル毎の調整値を算出する（ステップＳ２）。これらの調整値は夫々色相メモリ２１ｔ、彩度メモリ２１ｃ、コントラストメモリ２１ｃｎ及びブライトメモリ２１ｂに供給されて格納される。
【００３９】
オフセットデータ生成回路２２は、これらのメモリ２１ｔ，２１ｃ，２１ｃｎ，２１ｂから各調整値を読み出す。オフセットデータ生成回路２２は、ステップＳ３において、輝度Ｙ、色差Ｃｂ，Ｃｒについて、各分割レベルにおける各調整値を用いて、映像調整後のレベル（Ｙ２，Ｃｒ２，Ｃｂ２）を算出する（ステップＳ３）。そして、オフセットデータ生成回路２２は、輝度Ｙ、色差Ｃｂ，Ｃｒについて、映像調整後のレベル（Ｙ２，Ｃｒ２，Ｃｂ２）と調整前のレベル（Ｙ１，Ｃｒ１，Ｃｂ１）との差を求めて、夫々Ｙ補正量（Ｙ２−Ｙ１）、Ｃｂ補正量（Ｃｂ２−Ｃｂ１）、Ｃｒ補正量（Ｃｒ２−Ｃｒ１）を求める（ステップＳ４）。各補正量は、夫々Ｙオフセットメモリ１２、Ｃｂオフセットメモリ１３及びＣｒオフセットメモリ１４に与えられる（ステップＳ５）。
【００４０】
ここで、入力端子Ｉｙ，Ｉｃｂ，Ｉｃｒに映像信号が入力されるものとする。レベル検出回路１１は入力映像信号の輝度、色相及び彩度のレベルを検出し、輝度、色相、彩度について、分割レベルをＹオフセットメモリ１２、Ｃｂオフセットメモリ１３及びＣｒオフセットメモリ１４に指示する（ステップＳ６）。
【００４１】
これにより、Ｙオフセットメモリ１２、Ｃｂオフセットメモリ１３及びＣｒオフセットメモリ１４は、夫々、指定された分割レベルに対応して記憶されたＹ補正量、Ｃｂ補正量及びＣｒ補正量を出力する（ステップＳ７）。
【００４２】
加算器１５は入力映像信号の輝度信号Ｙ、色差信号Ｃｂ，Ｃｒに、夫々Ｙ補正量、Ｃｂ補正量又はＣｒ補正量を加算して、映像調整後の出力映像信号（輝度信号Ｙ、色差信号Ｃｂ，Ｃｒ）を得る（ステップＳ８）。
【００４３】
このように、本実施の形態においては、オフセットデータ生成回路を備えており、色調整等の映像調整のユーザインタフェースとして従来採用されていた手法を用いる場合でも、簡単な回路で自由度の高い色調整を含む映像調整が可能である。
【００４４】
（第３の実施の形態）
図５は本発明の第３の実施の形態を示すブロック図である。図５において図１と同一の構成要素には同一符号を付して説明を省略する。
【００４５】
上記各実施の形態においては、レベル検出回路１１のレベル検出精度によって、映像調整の精度が決定される。映像調整の精度を高くするために、レベル検出回路１１のレベル検出精度を向上させて、そのレベル精度で調整させると、オフセットメモリ１２乃至１４に記憶させる補正量の数が多くなり、必要なメモリ容量が増大してしまう。そこで、第２の実施の形態において説明したように、輝度、色相、彩度の検出を所定段数の分割レベルに分けて段階的な検出を行うことが考えられる。この場合には、映像調整精度は、メモリ容量によって決まる分割の段数に応じたものとなる。即ち、入力映像信号のビット数に拘わらず、調整後の映像信号は、分割レベルに応じた段階に調整される。そこで、本実施の形態は線形補間を行うことで補正量に使用する分割レベルの段数に拘わらず、調整精度を向上させるものである。
【００４６】
本実施の形態においては、線形補間回路３１乃至３３を付加した点が第１，第２の実施の形態と異なる。また、本実施の形態においては、レベル検出回路１１における検出精度に対してオフセットメモリ１２〜１４には少ない分割レベルの補正量が格納されているものとする。
【００４７】
例えば、レベル検出回路１１において、輝度、色相、彩度について、いずれも８ビット（２５６）レベルで検出を行うものとする。レベル検出回路１１の検出精度でオフセットメモリ１２〜１４に補正量を格納すると、各オフセットメモリ１２〜１４には、８×３＝２４ビット（１６７７７２１６）レベル分のメモリ容量が必要となってしまう。
【００４８】
そこで、本実施の形態においては、各オフセットメモリ１２〜１４には、輝度、色相、彩度についてレベル検出の例えば各上位４ビット分に対応した補正量を格納する。即ち、この場合には、各オフセットメモリ１２〜１４には４×３＝１２ビット（４０９６）レベルの補正量が格納される。しかし、これだけでは、レベル検出精度に対して映像調整精度が悪化してしまう。
【００４９】
そこで、レベル検出回路１１からの残りの下位４ビットの出力を用いて、オフセットメモリ１２〜１４の出力を線形補間することで、調整精度を向上させるようになっている。
【００５０】
オフセットメモリ１２は、レベル検出回路１１の上位４ビットの検出結果に基づく補正量を出力する。更に、オフセットメモリ１２は、上位４ビットの検出結果の１段階上のレベルに対応する補正量も出力する。即ち、輝度レベル、色相レベル、彩度レベルのうちの少なくとも１つが１段階上（つまり全部で７つ）である場合の補正量を出力する。オフセットメモリ１３，１４も同様である。
【００５１】
線形補間回路３１乃至３３には、夫々Ｙオフセットメモリ１２、Ｃｂオフセットメモリ１３又はＣｒオフセットメモリ１４から８つの補正量が与えられる。また、線形補間回路３１乃至３３には、レベル検出回路１１から、夫々入力映像信号の輝度、色相、彩度のレベルの下位ビットが与えられる。
【００５２】
線形補間回路３１は、オフセットメモリ１２からの８つの補正量とレベル検出回路１１からの下位４ビットとを用いて、レベル検出回路１１の上位４ビットの検出結果に基づく補正量を線形補間して加算器１５に出力する。また、線形補間回路３２は、オフセットメモリ１３からの８つの補正量とレベル検出回路１１からの下位４ビットとを用いて、レベル検出回路１１の上位４ビットの検出結果に基づく補正量を線形補間して加算器１６に出力する。また、線形補間回路３３は、オフセットメモリ１４からの８つの補正量とレベル検出回路１１からの下位４ビットとを用いて、レベル検出回路１１の上位４ビットの検出結果に基づく補正量を線形補間して加算器１７に出力する。
【００５３】
なお、レベル検出回路１１及びオフセットメモリ１２〜１４における分割レベルの設定は一例であり、上記例に限定されるものではない。
【００５４】
このように構成された実施の形態においては、レベル検出回路１１は入力映像信号の輝度、色相及び彩度のレベルを検出し、輝度、色相、彩度について、分割レベルをＹオフセットメモリ１２、Ｃｂオフセットメモリ１３及びＣｒオフセットメモリ１４に指示する。これにより、Ｙオフセットメモリ１２、Ｃｂオフセットメモリ１３及びＣｒオフセットメモリ１４は、分割レベルに応じた補正量と各分割レベルの１つ上の分割レベルの７つの補正量とを出力する。線形補間回路３１乃至３３は、レベル検出回路１１が検出したレベルに基づいて、Ｙオフセットメモリ１２、Ｃｂオフセットメモリ１３及びＣｒオフセットメモリ１４からのＹ補正量、Ｃｂ補正量及びＣｒ補正量を線形補間する。線形補間回路３１乃至３３からの各補正量は、加算器１５乃至１７において、入力された輝度信号、Ｃｂ信号及びＣｒ信号に夫々加算される。
【００５５】
このように、本実施の形態においては、線形補間回路によって補正量を線形補間していることから、メモリ容量増大させずに、十分な映像調整精度を得ることができるという効果がある。
【００５６】
（第４の実施の形態）
図６は本発明の第４の実施の形態を示すブロック図である。図６において図５と同一の構成要素には同一符号を付して説明を省略する。
【００５７】
上述したように、各オフセットメモリ１２乃至１４には、レベル検出の分割数に応じたメモリ容量が必要である。本実施の形態はメモリ容量を低減させることを可能にしたものである。
【００５８】
本実施の形態は乗算器４２，４３及び係数発生回路４１を設けた点が図５の実施の形態と異なる。係数発生回路４は、レベル検出回路１１から彩度レベルが与えられる。係数発生回路４１は、入力された彩度レベルに応じた係数を発生して、乗算器４２，４３に出力する。乗算器４２は、入力されたＣｂ補正量に係数を乗じて、加算器１６に出力する。乗算器４３は、入力されたＣｒ補正量に係数を乗じて、加算器１７に出力する。
【００５９】
このように構成された実施の形態においては、例えば、係数発生回路４１は、入力された彩度レベルの最大値を２、最小値を０として、レベルに比例した係数を出力する。この場合には、オフセットメモリ１３，１４に補正量の最大値の１／２のレベルまでの補正量を格納しておけば、係数を乗算することで、補正量を出力することができる。
【００６０】
即ち、Ｃｂ，Ｃｒオフセットメモリ１３，１４は、補正量が８ビットであるものとすると、その下位７ビット分のデータを格納する。係数発生回路４１は、彩度レベルに応じた０〜２の範囲の係数を出力する。乗算器４２，４３は、夫々、線形補間回路３２，３３から出力されたＣｂ補正量、Ｃｒ補正量に係数を乗算して出力する。これにより、加算器１６，１７には８ビット分の補正量が入力される。
【００６１】
このように、本実施の形態においては、乗算器を用いることで、分割数を減らすことなく、オフセットメモリのメモリ容量を低減させることができる。即ち、オフセットメモリに記憶させる補正量のデータ幅を大きくすることなく、映像調整精度を向上させると共に映像調整の調整幅を大きくすることができる。
【００６２】
（第５の実施の形態）
図７は本発明の第５の実施の形態を示すブロック図である。図７において図６と同一の構成要素には同一符号を付して説明を省略する。
【００６３】
上記各実施の形態においては、入力映像信号の輝度、色相及び彩度のレベルに応じて、Ｙ補正量、Ｃｂ補正量及びＣｒ補正量を求めた。これに対し、本実施の形態は入力映像信号の色相及び彩度のレベルに応じて、Ｙ補正量、Ｃｂ補正量及びＣｒ補正量を求めるものである。
【００６４】
本実施の形態はレベル検出回路１１に代えてレベル検出回路５１を採用した点が図６の実施の形態と異なる。レベル検出回路５１には、色差信号Ｃｂ，Ｃｒのみが供給される。レベル検出回路５１は、レベル検出回路１１と同様の構成であり、入力された色差信号Ｃｂ，Ｃｒから、入力映像信号の色相及び彩度のレベルを検出する。レベル検出回路５１が検出した色相及び彩度は、Ｙオフセットメモリ１２、Ｃｂオフセットメモリ１３及びＣｒオフセットメモリ１４に与えられる。
【００６５】
Ｙオフセットメモリ１２、Ｃｂオフセットメモリ１３及びＣｒオフセットメモリ１４には、色相及び彩度の各レベル毎に、夫々Ｙ補正量、Ｃｂ補正量及びＣｒ補正量が格納されている。
【００６６】
他の構成及び作用は上記各実施の形態と同様である。
【００６７】
このように本実施の形態においては、入力映像信号の色相及び彩度に基づいて、Ｙ補正量、Ｃｂ補正量及びＣｒ補正量が求められる。即ち、色相及び彩度のレベル毎の映像調整が行われることになる。また、コントラスト制御も行われなくなるが、輝度レベルの検出が不要であり、輝度レベルに応じた補正量を記憶する必要がないので、メモリ削減等の回路規模の削減が可能である。
【００６８】
なお、本発明は上記各実施の形態に限定されるものではなく、例えば、各実施の形態を相互に適用する等の変形が可能である。また、例えば、上記各実施の形態においては、輝度信号及び色差信号の調整を行っているが、色差信号のみの補正を行うようにしてもよい。逆に、入力映像信号の色相及び彩度に基づいて、輝度信号のみを調整するようにしてもよい。
【図面の簡単な説明】
【００６９】
【図１】本発明の第１の実施の形態に係る映像調整装置を示すブロック図。
【図２】第１の実施の形態の動作を説明するための説明図。
【図３】本発明の第２の実施の形態に係る映像調整装置を示すブロック図。
【図４】第２の実施の形態の動作を説明するためのフローチャート。
【図５】本発明の第３の実施の形態を示すブロック図。
【図６】本発明の第４の実施の形態を示すブロック図。
【図７】本発明の第５の実施の形態を示すブロック図。
【符号の説明】
【００７０】
１１…レベル検出回路、１２…Ｙオフセットメモリ、１３…Ｃｂオフセットメモリ、１４…Ｃｒオフセットメモリ、１５〜１７…加算器。
【図１】
2008118392.tif 000003
【図２】
2008118392.tif 000004
【図３】
2008118392.tif 000005
【図４】
2008118392.tif 000006
【図５】
2008118392.tif 000007
【図６】
2008118392.tif 000008
【図７】
2008118392.tif 000009